(57)【特許請求の範囲】
【請求項１】
外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる棒状物繰り出し容器において、
内筒及び外筒のそれぞれの外周面及び内周面の横断面形状は三角形となっており、
前記弾性体は、外筒及び内筒のそれぞれの周方向の対応する一部の位置のみに配設された単一のコイルバネであって、
前記一部の位置は、内筒及び外筒のそれぞれの外周面及び内周面の横断面形状の前記三角形の一つの辺の中央位置であり、
前記内筒には、外筒の外側で外筒に沿って伸びるクリップが設けられており、該クリップは、前記三角形の前記一つの辺と反対側の頂点となる外筒の稜線に沿って伸びることを特徴とする棒状物繰り出し容器。
【請求項２】
外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる棒状物繰り出し容器において、
前記弾性体は、外筒及び内筒のそれぞれの周方向の対応する一部の位置に配設され、
前記内筒には、外筒の外側で外筒に沿って伸びるクリップが設けられており、前記弾性体は、該クリップと対向する周方向位置に配設されることを特徴とする棒状物繰り出し容器。
【請求項３】
前記外筒の周面の前記一部の位置に弾性体受部が設けられ、前記内筒の周面の前記一部の位置に第２弾性体受部が設けられて、弾性体は、前記弾性体受部と第２弾性体受部との間に介挿されることを特徴とする請求項１または２記載の棒状物繰り出し容器。
【請求項４】
前記外筒の周面の前記一部の位置に弾性体収納部が設けられ、前記内筒の周面の前記一部の位置に第２弾性体収納部が設けられて、弾性体は、前記弾性体収納部と第２弾性体収納部によって形成される空間内に配設されることを特徴とする請求項１ないし３のいずれか１項に記載の棒状物繰り出し容器。
【請求項５】
前記弾性体は、棒状物の横断面外形状よりも小さい横断面外形状を有するコイルバネであることを特徴とする請求項１ないし４のいずれか１項に記載の棒状物繰り出し容器。
【請求項６】
前記弾性体は、棒状物繰り出し容器の後部に配設されることを特徴とする請求項１ないし５のいずれか１項に記載の棒状物繰り出し容器。
【発明の詳細な説明】
【技術分野】
【０００１】
本発明は、棒状消しゴム、鉛筆芯、クレヨン芯、パステル芯、アイブロー芯等の棒状物を繰り出し及び引っ込めることができる棒状物繰り出し容器に関する。
【背景技術】
【０００２】
従来、この種の棒状物繰り出し容器としては、特許文献１または２に記載されたものが知られている。この文献に記載された棒状物繰り出し容器は、外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる。
【０００３】
かかる従来の棒状物繰り出し容器では、弾性体が内筒の外周に巻回されたコイルバネとなっており、コイルバネが外筒の内周面に形成されたばね受けと、内筒の外周面に形成されたばね受けとの間に介挿されている。
【０００４】
【特許文献１】実公平３−４４５５２号公報
【特許文献２】実公平５−１４２６号公報
【発明の開示】
【発明が解決しようとする課題】
【０００５】
しかしながら、従来の棒状物繰り出し容器では、弾性体が内筒の外周外側を巻回しているために、その弾性体の占有分だけ外筒の外径が大きくなることになり、棒状物繰り出し容器の外径を細くすることができない、という問題がある。
【０００６】
また、棒状物及び内筒の横断面外形状が円形の場合には、通常のコイルバネを弾性体として使用することができるが、棒状物及び内筒の横断面外形状が円形でない場合、内筒の外周外側を巻回させるために弾性体の横断面形状も内筒の形状に合わせなければならない。そのため、弾性体の形状が特別なものとなり、製造コストが高騰するという問題がある。
【０００７】
本発明はかかる課題に鑑みなされたもので、細径にすることができ、または、低コストで構成することができる棒状物繰り出し容器を提供することをその目的とする。
【課題を解決するための手段】
【０００８】
上記目的を達成するために、本発明のうち請求項１記載の発明は、外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる棒状物繰り出し容器において、
内筒及び外筒のそれぞれの外周面及び内周面の横断面形状は三角形となっており、
前記弾性体は、外筒及び内筒のそれぞれの周方向の対応する一部の位置のみに配設された単一のコイルバネであって、
前記一部の位置は、内筒及び外筒のそれぞれの外周面及び内周面の横断面形状の前記三角形の一つの辺の中央位置であり、
前記内筒には、外筒の外側で外筒に沿って伸びるクリップが設けられており、該クリップは、前記三角形の前記一つの辺と反対側の頂点となる外筒の稜線に沿って伸びることを特徴とする。
請求項２記載の発明は、外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる棒状物繰り出し容器において、
前記弾性体は、外筒及び内筒のそれぞれの周方向の対応する一部の位置に配設され、
前記内筒には、外筒の外側で外筒に沿って伸びるクリップが設けられており、前記弾性体は、該クリップと対向する周方向位置に配設されることを特徴とする。
【０００９】
請求項３記載の発明は、請求項１または２記載のものにおいて、前記外筒の周面の前記一部の位置に弾性体受部が設けられ、前記内筒の周面の前記一部の位置に第２弾性体受部が設けられて、弾性体は、前記弾性体受部と第２弾性体受部との間に介挿されることを特徴とする。
【００１０】
請求項４記載の発明は、請求項１ないし３のいずれか１項に記載のものにおいて、前記外筒の周面の前記一部の位置に弾性体収納部が設けられ、前記内筒の周面の前記一部の位置に第２弾性体収納部が設けられて、弾性体は、前記弾性体収納部と第２弾性体収納部によって形成される空間内に配設されることを特徴とする。
【００１１】
請求項５記載の発明は、請求項１ないし４のいずれか１項に記載の前記弾性体が、棒状物の横断面外形状よりも小さい横断面外形状を有するコイルバネであることを特徴とする。
【００１２】
請求項６記載の発明は、請求項１ないし５のいずれか１項に記載の前記弾性体が、棒状物繰り出し容器の後部に配設されることを特徴とする。
【発明の効果】
【００１４】
本発明によれば、弾性体が外筒及び内筒のそれぞれの周方向の対応する一部の位置に配設されるために、弾性体が内筒の外周外側の全周にわたって配設される従来構成と比較して、棒状物繰り出し容器の外径を小さくすることができる。また、弾性体は、内筒または外筒の横断面形状とは無関係の形状にすることができるので、汎用の安価な形状のものを使用することができる。また、外筒のデザインの自由度を高めることもできる。
また、請求項２記載の本発明によれば、上記効果に加えて、弾性体が占有する収納部分をクリップによって目立たなくすることができる。また、弾性体が外筒によって完全に隠されていない場合であっても、クリップによって覆い隠されることが可能になるので、見栄えを良好にすることができる。尚、前記一部の位置の数は、１箇所に限らず、複数箇所とすることができる。
【００１５】
請求項３記載の発明によれば、外筒の弾性体受部及び内筒の第２弾性体受部を外筒及び内筒の全周にわたって形成する必要がないために、従来構成と比較して、棒状物繰り出し容器の外径を小さくすることができる。
【００１６】
請求項４記載の発明によれば、外筒の弾性体収納部及び内筒の第２弾性体収納部を外筒及び内筒の全周にわたって形成する必要がないために、従来構成と比較して、棒状物繰り出し容器の外径を小さくすることができる。
【００１７】
請求項５記載の発明によれば、弾性体として小さなコイルバネを使用することで、取扱が容易で、安価とすることができ、さらには、従来構成と比較して、棒状物繰り出し容器の外径を小さくすることができる。
【００１８】
請求項６記載の発明によれば、弾性体が棒状物繰り出し容器の後部に配設されることにより、棒状物繰り出し容器の前部の棒状物保持のための部品等が配設される部分の空間に余裕を持たせることができる。
【発明を実施するための最良の形態】
【００２０】
以下、図面を用いて本発明の実施の形態を説明する。
図１は本発明による棒状物繰り出し容器の実施形態を表す全体縦断面図、図２は全体斜視図である。
【００２１】
図において、棒状物繰り出し容器１０は、外筒１２と、該外筒１２内に摺動自在に嵌挿される内筒１４と、を備えている。外筒１２及び内筒１４のそれぞれの外周面及び内周面の横断面形状は、後述の棒状物２４の横断面形状に合わせて三角形となっており、主なる辺を構成する３辺を備えている。但し、該横断面形状は必ずしも数学的に正確な三角形となる必要はなく、各辺は直線でなく曲率の小さい曲線であってもよい。
【００２２】
外筒１２の先端部の内周面には、図３及び図１０に示したように、横断面形状の三角形の辺に対応する部分に抜け止め用リブ１２ａと横断面形状の三角形の頂点に対応する部分に棒状物嵌合用リブ１２ｂとが形成されており、それぞれのリブ１２ａ、１２ｂは、軸中心方向に突出している。
【００２３】
外筒１２の後端部の上部には、図３（ｂ）に示したように、後端部から伸びるスリット１２ｃが形成されており、スリット１２ｃの後部の入口は狭小部となっている。また、図３（ｃ）に示したように、外筒１２の後端部の下部は、他の部分と比較すると肉厚になっており、その肉厚部分に、略半円形の断面形状をなした溝が形成される。この溝は、後述の弾性体であるコイルバネ１６のための弾性体収納部１２ｄを構成する。さらに、弾性体収納部１２ｄの前端部にある溝壁面は弾性体受部１２ｅを構成する。
【００２４】
図４及び図５に示したように、内筒１４の後部の上部の周面には突起１４ｃが形成されており、該突起１４ｃは、外筒１２の前記スリット１２ｃの狭小部から押し入れられて、スリット１２ｃに摺動可能に嵌め入れられている。そして、内筒１４の後端部は外筒１２の後端から突出しており、この突出部分はノック部１４ａを構成し、ノック部１４ａにはクリップ１４ｂが一体的に形成されている。クリップ１４ｂは、外筒１２の外側を外筒１２に沿って伸びている。
【００２５】
内筒１４の後部の下部は、他の部分と比較すると肉薄になっており、この部分は後述の弾性体であるコイルバネ１６のための弾性体収納部１４ｄを構成する。そして、弾性体収納部１４ｄの後端部には、外側方向に突出する弾性体受部１４ｅが形成されている。
【００２６】
内筒１４の先端部には、３本のチャック片１８、１８、１８が設けられ、各チャック片１８の頭部１８ａは外筒１２の先端から突出する。チャック片１８は、棒状物２４の横断面三角形の辺の中央部分に対応して配置される（図１０参照）。また、複数のチャック片１８は、本来的には互いに軸方向中心部から離れる方向へと拡がるように設定されている。
【００２７】
前記外筒１２の弾性体収納部１２ｄと内筒１４の弾性体収納部１４ｄは、その周方向位置が整合して互いに対向しており、図６に示すように、これらの弾性体収納部１２ｄと弾性体収納部１４ｄとによって形成される空間に弾性体であるコイルバネ１６が配設される。コイルバネ１６の前端は、外筒１２の弾性体受部１２ｅに当接し、コイルバネ１６の後端は、内筒１４の弾性体受部１４ｅに当接する。こうしてコイルバネ１６は、弾性体受部１２ｅと弾性体受部１４ｅとの間に介挿されて内筒１４を外筒１２に対して後方へ常時付勢している。コイルバネ１６は、その横断面形状が円形の汎用のコイルバネ１６となっている。
【００２８】
チャック片１８と外筒１２との間には、チャックリング２０が嵌挿される。チャックリング２０の本体２０ａは、その外周面及び内周面のそれぞれの横断面形状が三角形であり、棒状物２４の横断面形状に合わせて三角形となっており、主なる辺を構成する３辺を備えている。但し、ここでも横断面形状は必ずしも数学的に正確な三角形となる必要はなく、各辺は直線でなく曲率の小さい曲線であってもよい。
【００２９】
本体２０ａの一部は、外筒１２の前方外側に配置され、該本体２０ａの後端部からは、外筒１２に対して摺動可能に且つ外筒１２から抜けないようにするための係止部２０ｂ、２０ｂが外筒１２内へと延びている。各係止部２０ｂは、図７及び８に示したように、対向する鈎状の頭部となった一対のフック片２０ｃ、２０ｃから構成される。
【００３０】
この係止部２０ｂのフック片２０ｃ、２０ｃは、外筒１２の前記抜け止め用リブ１２ａに摺動可能に案内されており、抜け止め用リブ１２ａの拡大頭部にフック片２０ｃ、２０ｃが引っ掛かると、それ以上のチャックリング２０の前進が阻止されて、外筒１２の前方方向への抜け止めがなされる。
【００３１】
また、チャックリング２０の本体２０ａの先端部には、前方及び軸中心方向へと突出する突出角部２０ｄ、２０ｄ、２０ｄが形成されており、通常時には、隣接する突出角部２０ｄの間に、チャック片１８の頭部１８ａがはめ込まれており、バネ１６によって後方へと付勢されるチャック片１８の頭部１８ａは本体２０ａによって後方変位が阻止されると共に、軸方向中心部から離れる方向へと拡がることが阻止される。
【００３２】
外筒１２及び内筒１４内には横断面が三角形の形状となった三角柱の棒状消しゴムである棒状物２４が収納される。よって、棒状物２４の周面には複数の稜線が形成されている。棒状物２４は、外筒１２内において、横断面三角形の頂点に対応する部分が、棒状物嵌合用リブ１２ｂに接触している（図１０参照）。
【００３３】
以上のように構成される棒状物繰り出し容器１０において、通常時には、チャック片１８の頭部１８ａがチャックリング２０によってその拡がりが阻止されているために、各チャック片１８は、棒状物２４の横断面三角形の辺の中央部分に当接して、棒状物２４を押圧している。即ち、チャック片１８は、棒状物２４の平面部分に当接しているために、確実に棒状物２４を保持することができ、これによって棒状物２４はその移動が阻止されている。従って、外筒１２を握り、チャック片１８によって締付けられた部分よりも前方にある棒状物２４の部分を使用することができる。
【００３４】
棒状物２４の先端は、使用に伴い消耗して丸みを帯びてくるが、棒状物２４の周面においては、三角形の頂点に対応する稜線があるために、稜線を用いて細かな部分の消去作業を行なうことができる。
【００３５】
棒状物２４をさらに繰り出したいときには、ノック部１４ａをノックする。これによって、チャック片１８及び棒状物２４が前進して、チャック片１８との摩擦によりチャックリング２０も同時に前進する。しかしながら、チャックリング２０は、そのフック片２０ｃが抜け止め用リブ１２ａの頭部に当接するまでの間しか移動できず、頭部に当接するとそれ以上は前進できないために、チャック片１８だけが前進する。このときに、チャック片１８は、チャックリング２０の突出角部２０ｄの間を通過していくが、隣接するチャック片１８同士の隙間の大きさは、後方において小さくなっているため、突出角部２０ｄによってチャック片１８が本来の互いに軸方向中心部から離れる方向へと拡がるように強制される。これによって、棒状物２４はチャック片１８の締め付けから解放される。そして、ノック部１４ａのノックを解除すると、チャック片１８はバネ１６の付勢力によって後退して初期位置へと戻る。このとき、チャック片１８がチャックリング２０によって締め付け力を発揮するまで、棒状物２４は、外筒１２の棒状物嵌合用リブ１２ｂによる摩擦力によって前進した位置に保持される。この一連の操作によって、棒状物２４は、チャックリング２０の係止部２０ｂが外筒１２に対して摺動する長さにほぼ対応する長さ分だけ、繰り出される。
【００３６】
また、繰り出された棒状物２４を引っ込めるときには、ノック部１４ａをノックして、棒状物２４をチャック片１８の締め付けから解放した状態にして、棒状物２４を後方へと押し込むことにより、行なうことができる。
【００３７】
バネ１６は、断面形状円形となり、且つその径が小さな汎用のコイルバネとなっているために、取扱が容易であり、且つ安価である。そして、外筒１２及び内筒１４のそれぞれの周方向の対応する一部の位置にバネ１６が配設されるだけであるので、棒状物繰り出し容器１０の全体的な外径を細径にすることができる。
【００３８】
また、バネ１６は、棒状物繰り出し容器１０の後部に配設されているために、棒状物繰り出し容器１０の前部のチェック片１８やリブ１２ａ、１２ｂ等の部品が配設される部分の空間に余裕を持たせることができる。
【００３９】
以上の説明では、棒状物の横断面形状が正三角形の場合について説明したが、これに限ることなく、横断面形状が円形となった通常の棒状物であっても同様に適用可能である。または、棒状物の横断面形状が任意の三角形または四角形以上の任意の多角形とすることができ、外筒、内筒、チャックリングのうちの少なくとも一つの部材の形状も棒状物の多角形形状と合わせた形状にすることができる。棒状物２４の稜線の数が増加することにより、角部の数が増えて、より繊細な作業に適したものとすることができる。棒状物がいかなる形状であっても、バネ１６はその影響を受けないので、低コストに構成することができる。
【００４０】
また、図示した例では、バネ１６の配設位置は、棒状物繰り出し容器１０の後部となっていたが、これに限らず、中間部、または前部に配設することも可能である。
【００４１】
また、図１の例では、バネ１６を内筒１４のクリップ１４ｂとは周方向反対側の位置に配設していたが、図１１に示すように、バネ１６の周方向位置を内筒１４のクリップ１４ｂの周方向位置とほぼ同じ位置にして、クリップ１４ｂと対向するように配設することも可能である。この場合、図１１（ｂ）に示したように、外筒１２の弾性体収納部１２ｄは、図１の外筒１２のスリット１２ｃの機能を兼用し、且つ内筒１４の弾性体受部１４ｅは、図１の内筒１４の突起１４ｃの機能を兼用することができる。外筒１２には、弾性体収納部１２ｄから後部に続き、幅が狭くなった狭小部１２ｆ及び狭小部１２ｆから後端に向けて漸次幅が広くなったテーパー部１２ｇが設けられている。内筒１４を外筒１２内に挿入するときには、弾性体受部１４ｅがテーパー部１２ｇから挿入されて、狭小部１２ｆを通り抜けて弾性体収納部１２ｄ内に押し入れられる。これによって弾性体受部１４ｅが狭小部１２ｆから再び抜け出ることが困難となっており、バネ１６も弾性体収納部１２ｄ及び弾性体収納部１４ｄによって形成される空間内に保持される。図示したように、バネ１６が外筒１２によって完全に隠されていない場合であっても、クリップ１４ｂによって覆い隠されるので、見栄えを悪化させることはない。また、弾性体収納部１２ｄ及び弾性体収納部１４ｄによる収納部の厚みをクリップ１４ｂによって目立たなくすることができる。
【００４２】
また、図示した例では、バネ１６の個数は１つであったが、これに限るものではなく、周方向に離間して複数の弾性体収納部１２ｄ、１４ｄ、弾性体受部１２ｅ、１４ｅ及びバネを設けることも可能である。この場合、バネ１６の個数に応じてコストは上昇するが、安価な汎用コイルバネを使用することができるので、コストの上昇を抑えることができる。
【００４３】
また、図示した例では、バネ１６としてコイルバネを用いているが、これに限るものではなく、汎用の板バネを用いることも可能である。
【００４４】
さらには、外筒１２を透明な部材として、積極的にバネ１６を外側から見えるようにして、バネ１６をデザインの一部とすることも可能である。特にバネ１６を任意の着色されたバネとすることにより、デザイン上の変化をもたらすこともできるようになる。
【図面の簡単な説明】
【００４５】
【図１】本発明の棒状物繰り出し容器の実施形態を表す全体縦断面図である。
【図２】図１の棒状物繰り出し容器の全体斜視図である。
【図３】（ａ）は外筒の縦断面図、（ｂ）は図３（ａ）の３ｂ線矢視図、（ｃ）は図３（ａ）の３ｃ−３ｃ線に沿って見た断面図である。
【図４】内筒の後方から見た斜視図である。
【図５】（ａ）は内筒の縦断面図、（ｂ）は図５（ａ）の５ｂ線矢視図である。
【図６】図１の６−６線に沿った見た断面図である。
【図７】（ａ）はチャックリングの後方から見た斜視図、（ｂ）はチャックリングの前方から見た斜視図である。
【図８】チャックリングの縦断面図である。
【図９】（ａ）は図１の９−９線に沿って見た断面図、（ｂ）はノック時の相当断面図である。
【図１０】図１の１０−１０線に沿って見た断面図である。
【図１１】（ａ）は本発明の棒状物繰り出し容器の他の実施形態を表す後部縦断面図、（ｂ）は（ａ）の矢印１１ｂに沿って見た図である。
【符号の説明】
【００４６】
１０  棒状物繰り出し容器
１２  外筒
１２ｄ  弾性体収納部
１２ｅ  弾性体受部
１４  内筒
１４ｂ  クリップ
１４ｄ  弾性体収納部（第２弾性体収納部）
１４ｅ  弾性体受部（第２弾性体受部）
１６  コイルバネ（弾性体）
１８  チャック片
２０  チャックリング
２４  棒状物
【図１】
0004750560.tif 000002
【図２】
0004750560.tif 000003
【図３】
0004750560.tif 000004
【図４】
0004750560.tif 000005
【図５】
0004750560.tif 000006
【図６】
0004750560.tif 000007
【図７】
0004750560.tif 000008
【図８】
0004750560.tif 000009
【図９】
0004750560.tif 000010
【図１０】
0004750560.tif 000011
【図１１】
0004750560.tif 000012